(57)【要約】【課題】本発明は、積み重ねたときにシール材によってログ材どうしの間隔が押し広げられることのないログ材を提供することを目的とする。【解決手段】ログハウス用のログ材１０において、ログ材本体１の長手方向に延在した凸部２が位置する第１の面３と、前記長手方向に延在した凹部４が位置する第２の面５とを背中合わせに有し、前記凸部２は、前記凸部２の頂部２ａから前記第１の面３まで延在したシール材を固定するための一対の第１の側面６ａ，６ｂを有し、前記凹部４は、前記凹部４の底部４ａから前記第２の面５まで延在したシール材を挟み込むための一対の第２の側面８ａ，８ｂを有し、前記凸部２の前記第１の側面６ａ，６ｂどうしの間隔は、前記凹部４の前記第２の側面８ａ，８ｂどうしの間隔よりも狭くした。【選択図】図１
2020165294.tif 000002
【特許請求の範囲】
【請求項１】
ログハウス用のログ材において、
ログ材本体の長手方向に延在した凸部が位置する第１の面と、
前記長手方向に延在した凹部が位置する第２の面とを背中合わせに有し、
前記凸部は、前記凸部の頂部から前記第１の面まで延在したシール材を固定するための一対の第１の側面を有し、
前記凹部は、前記凹部の底部から前記第２の面まで延在したシール材を挟み込むための一対の第２の側面を有し、
前記凸部の前記第１の側面どうしの間隔は、前記凹部の前記第２の側面どうしの間隔よりも狭いことを特徴とする、ログ材。
【請求項２】
請求項１に記載のログ材において、前記凸部の前記第１の側面は、前記凸部の頂部から前記第１の面に近づくほど、前記第１の側面どうしの間隔が広がることを特徴とする、ログ材。
【請求項３】
請求項１または２に記載のログ材において、前記凹部の前記第２の側面は、前記凹部の底部から前記第２の面に近づくほど、前記第２の側面どうしの間隔が広がることを特徴とする、ログ材。
【請求項４】
請求項３に記載のログ材において、前記凹部の前記第２の側面どうしの間隔の広がりは、前記凸部の前記第１の側面どうしの間隔の広がりよりも急に広がることを特徴とする、ログ材。
【請求項５】
請求項１乃至４のいずれか１項に記載のログ材において、前記第１の側面または前記第２の側面に、前記長手方向に延在したシール材を有することを特徴とする、ログ材。
【請求項６】
請求項５に記載のログ材において、前記第１の側面どうしの間隔と前記第２の側面どうしの間隔との差は、前記シール材の厚さの２倍よりも小さいことを特徴とする、ログ材。
【請求項７】
請求項５または６に記載のログ材において、前記シール材は、発泡体であることを特徴とする、ログ材。
【請求項８】
請求項５乃至７のいずれか１項に記載のログ材において、前記シール材は、中空な断面形状を有することを特徴とする、ログ材。
【請求項９】
請求項５乃至８のいずれか１項に記載のログ材において、前記シール材の断面形状は、前記第１の側面または前記第２の側面に取り付けられた直線部分と、前記直線部分から突出した曲線部分とで形成された断面形状を有することを特徴とする、ログ材。
【発明の詳細な説明】
【技術分野】
【０００１】
本発明は、ログハウス用のログ材に関する。
【背景技術】
【０００２】
従来、ログハウスの壁等を構築すべく、同じ構造を有するログ材とともに積み重ねられて用いられるログ材が知られている。この種のログ材は、下段に積まれたログ材の上部に設けられた凸部と上段に積まれたログ材の下部に形成された凹部とで嵌合するサネ構造を有し、凸部の頂部と凹部の底部との間にシール材を挟むことにより防水性を向上させていた（例えば、特許文献１参照）。また、上下に隣り合って積み重ねられた一方のログ材の上面と他方のログ材の下面との間に、サネ構造に沿ってシール材を介在させたログ材が提案されている（例えば、特許文献２乃至５参照）。
【先行技術文献】
【特許文献】
【０００３】
【特許文献１】特開２０１１−１３２６９３号公報
【特許文献２】実開平０３−０７４７０５号公報
【特許文献３】実開平０２−１４１００７号公報
【特許文献４】米国特許第４１２６９７７号明細書
【特許文献５】米国特許出願公開２００８／１２７５８３号明細書
【発明の概要】
【発明が解決しようとする課題】
【０００４】
しかしながら、上記従来の技術によるログ材では、積み重ねられた上段のログ材と下段に積まれたログ材との間にシール材が挟み込まれていることにより、ログ壁の組み上げ作業時に、上から押さえ付ける力に対して上段のログ材を押し上げて浮かせる反力が生じていた。このため、作業員は、上方から繰り返し上段のログ材を下方に向けてハンマー等で叩いて上段のログ材を落とし込む必要があった。また、シール材のねじれ、ズレ、破断等が生じてしまっても外側から確認することができなかった。これらの理由により、施工が容易ではないという問題があった。
【０００５】
また、サネ構造を構成する凸部の頂部面に、シール材を落とし込むための溝を形成したログ材は、加工が複雑になってしまうという問題があった。
【０００６】
本発明の目的は、上述した従来の技術が有する課題を解消し、積み重ねたときにシール材によってログ材どうしの間隔が押し広げられることのないログ材を提供することにある。
【課題を解決するための手段】
【０００７】
本発明は、ログハウス用のログ材において、ログ材本体の長手方向に延在した凸部が位置する第１の面と、前記長手方向に延在した凹部が位置する第２の面とを背中合わせに有し、前記凸部は、前記凸部の頂部から前記第１の面まで延在したシール材を固定するための一対の第１の側面を有し、前記凹部は、前記凹部の底部から前記第２の面まで延在したシール材を挟み込むための一対の第２の側面を有し、前記凸部の前記第１の側面どうしの間隔は、前記凹部の前記第２の側面どうしの間隔よりも狭いことを特徴とする。
【０００８】
この場合において、前記凸部の前記第１の側面は、前記凸部の頂部から前記第１の面に近づくほど、前記第１の側面どうしの間隔が広がっていてもよい。前記凹部の前記第２の側面は、前記凹部の底部から前記第２の面に近づくほど、前記第２の側面どうしの間隔が広がっていてもよい。前記凹部の前記第２の側面どうしの間隔の広がりは、前記凸部の前記第１の側面どうしの間隔の広がりよりも急に広がっていてもよい。前記第１の側面または前記第２の側面に、前記長手方向に延在したシール材を有していてもよい。前記第１の側面どうしの間隔と前記第２の側面どうしの間隔との差は、前記シール材の厚さの２倍よりも小さくてもよい。前記シール材は、発泡体であってもよい。前記シール材は中空な断面形状を有していてもよい。前記シール材の断面形状は、前記第１の側面または前記第２の側面に取り付けられた直線部分と、前記直線部分から突出した曲線部分とを有していてもよい。
【発明の効果】
【０００９】
本発明では、積み重ねたときにシール材によってログ材どうしの間隔が押し広げられることのないログ材を提供することができる。
【図面の簡単な説明】
【００１０】
【図１】本実施形態に係るログ材の断面図を示す。
【図２】２つのログ材を積み重ねたときのサネ構造近傍の断面図を示す。
【発明を実施するための形態】
【００１１】
以下、図面を参照して、本発明の好適な実施の形態について説明する。
図１は、本実施形態に係るログ材の断面図を示す。
ログ材１０は、図１に示すように、ログ材１０の長手方向に垂直な断面が略矩形断面に形成されている。このログ材１０は、同じ構造の複数のログ材１０を積み重ねることにより、ログハウスの外壁等を構築するための建築材料である。
【００１２】
ログ材１０は、ログ材本体１の長手方向に延在するように位置する凸部２が設けられた第１の面３と、ログ材本体１の長手方向に延在するように位置する凹部４が形成された第２の面５とを背中合わせに有している。
【００１３】
凸部２は、サネであり、第１の面３から突出した略台形形状に形成されており、頂部２ａには第１の面３に対して略平行な頂部面２ｂが形成されている。頂部面２ｂの幅方向Ｗの両端は、頂部２ａから第１の面３に近づくほど、ログ材本体１の長手方向に垂直かつ第１の面３が広がる幅方向Ｗに広がって傾斜した一対の第１の側面６ａ，６ｂが頂部２ａから第１の面３まで延在するように形成されている。
【００１４】
凸部２の第１の側面６ａ，６ｂは、ログ材１０の長手方向に延在するとともに第１の側面６ａ，６ｂから突出した形状を有するシール材７が取り付けられている。このシール材７は、ＥＰＤＭ（エチレン・プロピレン・ジエンゴム）等のゴム発泡体で形成されており、押出し成形により製造される際にシール材７の表面に摩擦抵抗の低い滑面が形成されている。また、シール材７は中空なＤ字形状に形成されており、第１の側面６ａ，６ｂに取り付けられる直線部分７ａと、直線部分７ａから突出した曲線部分７ｂとで形成された断面形状を有している。
【００１５】
凹部４は、別のログ材１０の凸部２を受けるように、ログ材本体１が略台形形状に切り取られて形成されており、底部４ａには第２の面５に対して略平行な底部面４ｂが形成されている。この凹部４は、凸部２と嵌合されてサネ構造を構成するようになっている。凹部４は、凹部４の底部４ａから第２の面５に近づくほど、第２の面５が広がる幅方向Ｗに広がって傾斜した一対の第２の側面８ａ，８ｂが底部４ａから第２の面５まで延在するように形成されている。
【００１６】
凸部２の第１の側面６ａ，６ｂどうしの間隔は、凹部４の第２の側面８ａ，８ｂどうしの間隔よりも狭く、第１の側面６ａ，６ｂどうしの間隔と第２の側面８ａ，８ｂどうしの間隔との差は、シール材７の厚さの２倍よりも小さくなっている。凹部４の第２の側面８ａ，８ｂどうしの間隔の広がりは、凸部２の第１の側面６ａ，６ｂどうしの間隔の広がりよりも急に広がっている。すなわち、凸部２の頂部面２ｂの中点Ｐ１と凹部４の底部面４ｂの中点Ｐ２とを結んだ仮想線Ａと、第１の側面６ａ，６ｂを通る仮想線Ｂとが交わる角度θ１は、仮想線Ａと、第２の側面８ａ，８ｂを通る仮想線Ｃとが交わる角度θ２よりも小さくなっている。
【００１７】
本実施形態に係るログ材１０は、ログ材本体１の寸法は縦１８０ｍｍで横１１３ｍｍの矩形の断面形状を有し、４つの角が面取りされている。このログ材本体１から突出する凸部２の寸法は、縦方向に１０ｍｍであり、横方向の寸法は、第１の面３の位置で幅４４ｍｍ、頂部面２ｂで幅４０ｍｍになっている。一方、ログ材本体１の第２の面５から凹んだ形状の凹部４の寸法は、深さが１２ｍｍであり、横方向の寸法は、第２の面５の位置で幅５６ｍｍ、底部面４ｂで４６ｍｍになっている。すなわち、第１の面３から頂部２ａまでの第１の面３に垂直な方向の長さは、第２の面５から底部４ａまでの第２の面５に垂直な方向の長さよりも、例えば約２ｍｍ短くなっている。また、４６ｍｍである凹部４の底部面４ｂの幅は、４４ｍｍである凸部２の第１の面３の位置における幅よりも大きいため、複数のログ材１０，１０を積み重ねたときに、凹部４の底部面４ｂの一部の面と凸部２の頂部面２ｂの一部の面とが略平行に対向するようになっている。
【００１８】
図２は、２つのログ材を積み重ねたときのサネ構造近傍の断面図を示す。
２つのログ材１０を積み重ねる際には、図２に示すように、下段に配置されたログ材１０の上面である第１の面３に、上段に積み重ねられたログ材１０の下面である第２の面５が当接する。このとき、下段のログ材１０の凸部２が上段のログ材１０の凹部４に嵌合するようになっている。
【００１９】
２つのログ材１０，１０が積み重ねられると、凸部２の第１の側面６ａ，６ｂどうしの間隔は、凹部４の第２の側面８ａ，８ｂどうしの間隔よりも狭くなっており、第１の側面６ａ，６ｂと第２の側面８ａ，８ｂとの間に形成される空間はシール材７が収容されるのに十分な大きさになっている。これにより、下方に位置するログ材１０の凸部２を第１の面３または第２の面５に沿った幅方向Ｗに挟み込むようにシール材７，７を設けることができるようになっている。
【００２０】
また、２つのログ材１０，１０が積み重ねられたときに、下段に配置されたログ材１０の凸部２の頂部面２ｂと上段に積み重ねられたログ材１０の凹部４の底部面４ｂとの間には約２ｍｍの隙間が形成されている。これにより、ログ材１０が多少膨張したり歪んだりしても、下段に配置されたログ材１０の第１の面３と上段に積み重ねられたログ材１０の第２の面５とによる凸部２を挟んだ２カ所の当接は、凸部２による凹部４との当接によって妨げられてしまうことを防止することができる。すなわち、下段に配置されたログ材１０と上段に積み重ねられたログ材１０とは、凸部２及び凹部４を挟んだ２カ所の位置で、第１の面３と第２の面５とが当接するため、ログ材１０，１０どうしがぐらつき難く安定するようになっている。
【００２１】
シール材７は、下段に配置されたログ材１０の凸部２の上段に別のログ材１０の凹部４が嵌め込まれていくときに、曲線部分７ｂが凹部４の第２の側面８ａ，８ｂに接して、下段のログ材１０の第１の面３側に倒されるように変形するようになっている。このとき、シール材７は、中空に形成されていることにより容易に変形するため、上段に積み重ねられるログ材１０は自重により容易に下段のログ材上に落とし込まれることができる。また、凹部４の一対の第２の側面８ａ，８ｂどうしの間隔の方が凸部２の一対の第１の側面６ａ，６ｂどうしの間隔よりも急に傾きが広がるように形成されて凹部４の開口端が広いことにより、凸部２は第２の側面８ａ，８ｂでガイドされて凹部４と嵌合し易くなっている。
【００２２】
本実施形態に係るログ材１０は、ログ材本体１の長手方向に延在した凸部２が位置する第１の面３と、長手方向に延在した凹部４が位置する第２の面５とを背中合わせに有し、凸部２は、凸部２の頂部２ａから第１の面３まで延在したシール材を固定するための一対の第１の側面６ａ，６ｂを有し、凹部４は、凹部４の底部４ａから第２の面５まで延在したシール材を挟み込むための一対の第２の側面８ａ，８ｂを有し、凸部２の第１の側面６ａ，６ｂどうしの間隔は、凹部４の第２の側面８ａ，８ｂどうしの間隔よりも狭くなっている。これにより、複数のログ材１０を積み重ねたときに、下方に位置するログ材１０の凸部２を幅方向Ｗに挟み込むようにシール材７，７を設けることができる、すなわち上段に積み重ねられたログ材１０の荷重を受けない位置にシール材７，７を配置することができる。このため、積み重ねたときにシール材７が上下方向に挟まることによってログ材１０，１０どうしの間隔が押し広げられないようにすることができる。また、上段に配置されたログ材１０を浮かせる力が生じないので、施工が容易であり、かつ高い気密性能及び防水性能を発揮させることができる。
【００２３】
また、シール材７は、ゴム発泡体で形成されているとともに、摩擦抵抗の低い滑面で表面が形成されている。このため、ログ壁の組み上げ時に下段のログ材１０の凸部２が上段のログ材１０の凹部４に引っ掛かってシール材７が潰れないようにすることができる。
【００２４】
さらに、シール材７は、中空形状を有して柔軟性が高いため、ログ材１０の歪みに対応するように変形し、第１の側面６ａ，６ｂと第２の側面８ａ，８ｂとの間の隙間形状を追従することができる。
【００２５】
さらにまた、凹部４の一対の第２の側面８ａ，８ｂどうしの間隔の広がりは、凸部２の一対の第１の側面６ａ，６ｂの間隔の広がりよりも急に広がっているため、シール材を収容する適度な隙間が形成され、組み上げ作業をさらに容易にすることができる。
【００２６】
以上、実施形態に基づいて本発明を説明してきたが、本発明はこれに限定されない。例えば、上記実施形態では、凸部２の第１の側面６ａ，６ｂと凹部４の第２の側面８ａ，８ｂとは、ログ材１０の上面である第１の面３またはログ材１０の下面である第２の面５に対して傾斜するように形成されているが、これに限定されない。ログ材を積み重ねたときに、下方に位置するログ材の凸部を第１の面または第２の面に沿った方向に挟み込むようにシール材を設けることができれば、凸部の第１の側面と凹部の第２の側面とはログ材の上面または下面に対して垂直に形成されていてもよい。
【００２７】
また、上記実施形態では、凸部２の一対の第１の側面６ａ，６ｂにそれぞれシール材７，７を取り付けているが、本発明はこれに限定されない。シール材は、凹部の第２の側面に取り付けられていてもよい。
【００２８】
さらに、上記実施形態では、左右対象な断面形状を有するとともに、一対のシール材７，７が凸部２を挟んだ構成を有しているが、これに限定されない。ログ材が積み重ねられたときに、下段のログ材の凸部に形成された第１の側面と上段のログ材の凹部に形成された第２の側面との間にシール材が挟み込まれる構成を有していれば、左右非対称であってもよく、シール材も片側だけに設けられていてもよい。
【００２９】
さらにまた、上記実施形態では、１つの凸部２及び１つの凹部４を有するログ材１０を用いて本発明を説明してきたが、本発明はこれに限定されず、２つ以上の凸部や凹部を有するログ材であってもよい。
【００３０】
また、上記実施形態では、シール材７として中空なＤ字形状の断面を有するシール材を用いているが、本発明はこれに限定されず、シール材は、中実に形成されていたり矩形断面を有するように形成されていたりしてもよい。また、柔軟性の高いシール材を用いることで、ログ壁の組み上げ時に下段のログ材の凸部が上段のログ材の凹部に引っ掛かってシール材が潰れないようにすることができる。このようなシール材としては、例えば、厚さ５ｍｍで幅１０ｍｍの矩形断面を有するＥＰＤＭ等のゴム発泡体が用いられる。矩形断面を有するＥＰＤＭ等のゴム発泡体で成形されたシール材を用いることにより、十分な防水性能を保ったまま、シール材のコストを低下させることができる。また、矩形断面を有することによりシール材の表面が平らになるので、シール材をログ材本体１に貼り付けるときに作業員が力を均等にシール材にかけることができるとともに、第１の側面６ａ，６ｂと第２の側面８ａ，８ｂとの間に形成される空間への収まりが良くなる。
【００３１】
さらに、上記実施形態では、ログ材本体１の第２の面５から凹んだ形状の凹部４の深さを１２ｍｍとしているが、本発明はこれに限定されず、第２の面５から凹んだ形状の凹部４の深さを１１ｍｍとしてもよい。このとき、第１の面３から頂部２ａまでの第１の面３に垂直な方向の長さは、第２の面５から底部４ａまでの第２の面５に垂直な方向の長さよりも、例えば約１ｍｍ短くなっている。
【符号の説明】
【００３２】
１…ログ材本体
２…凸部
２ａ…頂部
２ｂ…頂部面
３…第１の面
４…凹部
４ａ…底部
４ｂ…底部面
５…第２の面
６ａ…第１の側面
６ｂ…第１の側面
７…シール材
７ａ…直線部分
７ｂ…曲線部分
８ａ…第２の側面
８ｂ…第２の側面
１０…ログ材
Ａ…仮想線
Ｂ…仮想線
Ｃ…仮想線
Ｐ１…中点
Ｐ２…中点
Ｗ…幅方向
【図１】
2020165294.tif 000003
【図２】
2020165294.tif 000004